(57)【特許請求の範囲】
【請求項１】
加熱部で加熱した温水を供給する温水熱源機と、この温水熱源機外に設置され上記温水熱源機との間で上記温水が循環供給されるよう上記温水熱源機と接続される少なくとも１の端末放熱器とを備えた温水暖房装置に適用される設置時情報取得システムであって、
上記温水熱源機には熱源機側コントローラが配設される一方、上記端末放熱器には端末側コントローラが配設され、これら熱源機側コントローラと端末側コントローラとが通信手段を介して双方向通信可能に接続されており、
上記端末側コントローラは、上記端末放熱器に関する固有の端末情報が予め記憶設定された端末情報記憶部を有し、
上記熱源機側コントローラは、主記憶部と、上記通信手段を介して上記端末情報記憶部の端末情報を取り込んでその端末情報を設置時情報として上記主記憶部に記憶保持させる情報取込処理部と、試運転実行指令を受けて試運転制御を実行する試運転制御部とを備え、この試運転制御部は温水熱源機と端末放熱器とを接続する循環配管の配管抵抗判定と、その循環配管の配管容量判定との内の少なくとも１の判定を行いその判定結果を設置時情報として上記主記憶部に記憶保持させるように構成され、
上記温水熱源機は、外部コントローラが着脱可能に接続されることによりその外部コントローラに対し上記主記憶部に記憶保持された設置時情報を転送し得る転送用接続手段を有している
ことを特徴とする温水暖房装置の設置時情報取得システム。
【請求項２】
加熱部で加熱した温水を供給する温水熱源機と、この温水熱源機外に設置され上記温水熱源機との間で上記温水が循環供給されるよう上記温水熱源機と接続される少なくとも１の端末放熱器とを備えた温水暖房装置に適用される設置時情報取得システムであって、
上記温水熱源機には熱源機側コントローラが配設される一方、上記端末放熱器には端末側コントローラが配設され、これら熱源機側コントローラと端末側コントローラとが通信手段を介して双方向通信可能に接続されており、
上記端末側コントローラは、上記端末放熱器に関する固有の端末情報が予め記憶設定された端末情報記憶部を有し、
上記熱源機側コントローラは、主記憶部と、上記通信手段を介して上記端末情報記憶部の端末情報を取り込んでその端末情報を設置時情報として上記主記憶部に記憶保持させる情報取込処理部と、上記主記憶部に記憶保持された設置時情報を転送する転送処理部と、試運転実行指令を受けて試運転制御を実行する試運転制御部とを備え、この試運転制御部は温水熱源機と端末放熱器とを接続する循環配管の配管抵抗判定と、その循環配管の配管容量判定との内の少なくとも１の判定を行いその判定結果を設置時情報として上記主記憶部に記憶保持させるように構成され、
上記温水熱源機は、可搬式外部記憶手段が着脱可能に接続されることによりその外部記憶手段に対し上記主記憶部に記憶保持された設置時情報を上記転送処理部により転送し得る転送用接続手段を有している
ことを特徴とする温水暖房装置の設置時情報取得システム。
【発明の詳細な説明】
【０００１】
【発明の属する技術分野】
本発明は、温水暖房装置の設置工事をした後、その設置した温水暖房装置の各構成要素についての機種情報や試運転の判定結果についての試運転情報等からなる設置時情報を容易に取得するために用いられる温水暖房装置の設置時情報取得システムに関する。
【０００２】
【従来の技術】
従来より、温水暖房装置として、燃焼バーナにより加熱される熱交換器や貯湯タンク内の水を循環させる循環ポンプが配設された暖房回路を備えた温水熱源機と、この温水熱源機外の各室に設置された複数の端末放熱器（例えば床暖房器や浴室暖房機）とからなるものが一般に知られている。このものでは、上記複数の端末放熱器が上記暖房回路に対し熱動弁により構成された開閉弁及び循環配管を介して並列に接続され、所望の開閉弁を開作動させることで上記熱交換器により加熱された温水が対応する端末放熱器に対し個別に循環供給されるようになっている。
【０００３】
上記の温水暖房装置については、温水熱源機及び各端末放熱器をそれぞれ設置し、その温水熱源機と各端末放熱器との間に循環配管等の配管工事を行った後、使用（通常の暖房運転）に供される前に、水張りを行い実際に温水を循環供給させることにより上記各開閉弁が正常に開閉作動するか否か等のチェック（判定）が試運転として行われている。この試運転は、双方向通信可能に接続させた熱源機側コントローラと端末側コントローラとを用い、熱源機側コントローラからの自動試運転指令の入力により各配管への水張り、各開閉弁の開閉チェック、水漏れチェック、各端末放熱器での暖房が正常か否かのチェック等がそれぞれ自動的に行われるようになっている。最後に正常かエラーかの試運転結果がリモコン（リモートコントローラ）に表示される。
【０００４】
そして、試運転の結果、温水暖房装置が仕様通りに設置されて正常に運転し得る状態であることを工事報告書にまとめ、この工事報告書を発注者である建築業者に提出することにより設置工事が完了することになる。
【０００５】
【発明が解決しようとする課題】
ところが、上記従来の温水暖房装置においては、試運転結果の収集作業及び収集した試運転結果を工事報告書としてまとめる作業に多大な手間を要し極めて非効率なものとなっている上に、上記工事報告書を設置業者や建築業者等が保有していたとしても温水暖房装置の構成要素について将来の増設・変更等が生じた場合に参考として供し得ないという不都合がある。
【０００６】
すなわち、例えば集合住宅のように各戸に温水暖房装置を設置した場合、各戸毎に端末放熱器等の機種構成等をチェックして転記すると共に、試運転結果としてエラーの有無をチェックしてそのチェック結果を検査表等に書き留め、この作業を全戸について行った後に上記転記結果や検査表に書き留められた試運転結果等を例えばパーソナルコンピュータ等に入力し直して工事報告書としてまとめるという作業を行う必要がある。また、集合住宅であっても各戸のグレードや部屋数等により温水熱源機に組み合わせる端末放熱器の数・種類・機種等が異なり、互いに異なる種類の温水暖房装置が設置されることが多く、上記の作業はより煩雑なものとなる上に、転記ミスも生じ得る。
【０００７】
また、温水暖房装置が使用に供されてある期間が経過した後に、未設置の部屋にも端末放熱器を増設したいという要求や、既設置の端末放熱器をより高能力の別の端末放熱器に変更したいという要求がユーザから生じる場合がある。この場合には、温水熱源機の暖房運転能力や、既設置の種々の端末放熱器との組み合わせ等を実地調査して同じ温水熱源機のままで温水暖房装置を構成し得るか否かの検討を行う必要がある。つまり、既設置の温水暖房装置は設置時の温水熱源機の暖房運転能力と、各部屋の端末放熱器の機種と、これら各端末放熱器までの循環配管の配管抵抗等との組み合わせがシステム全体として機能し得るように設計され、それが試運転により確認されたものであるため、端末放熱器の単なる増設・変更だけではシステム全体として機能し得るか否かが分からないからである。この場合、端末放熱器は例えばそれが床暖房器であると、既に床に埋め込まれたりされているため、機種確認等の実地調査は困難となる。一方、上記の工事報告書は試運転結果が正常であったことが記載されるだけであるため、上記の増設や変更が可能か否かの参考資料としては不足することになる。
【０００８】
本発明は、このような事情に鑑みてなされたものであり、その目的とするところは、温水暖房装置の設置時における機器構成や試運転結果等の設置時情報の取得を容易かつ確実に行い得る温水暖房装置の設置時情報取得システムを提供することにある。
【０００９】
【課題を解決するための手段】
上記目的を達成するために、本発明は、加熱部で加熱した温水を供給する温水熱源機と、この温水熱源機外に設置され上記温水熱源機との間で上記温水が循環供給されるよう上記温水熱源機と接続される少なくとも１の端末放熱器とを備えた温水暖房装置に適用される設置時情報取得システムを対象として以下の各特定事項を有する第１、第２の発明からなるものである。
【００１０】
すなわち、第１の発明は、上記温水熱源機に熱源機側コントローラを配設する一方、上記端末放熱器に端末側コントローラを配設し、これら熱源機側コントローラと端末側コントローラとを通信手段を介して双方向通信可能に接続する。そして、上記端末側コントローラとしては上記端末放熱器に関する固有の端末情報が予め記憶設定された端末情報記憶部を有するものとし、上記熱源機側コントローラとしては主記憶部と、上記通信手段を介して上記端末情報記憶部の端末情報を取り込んでその端末情報を設置時情報として上記主記憶部に記憶保持させる情報取込処理部と、試運転実行指令を受けて試運転制御を実行する試運転制御部とを有し、この試運転制御部としては、温水熱源機と端末放熱器とを接続する循環配管の配管抵抗判定と、その循環配管の配管容量判定との内の少なくとも１の判定を行いその判定結果を設置時情報として上記主記憶部に記憶保持させる構成とし、上記温水熱源機としては外部コントローラが着脱可能に接続されることによりその外部コントローラに対し上記主記憶部に記憶保持された設置時情報を転送し得る転送用接続手段を有するものとすることを特定事項とするものである。
【００１１】
ここで、上記「外部コントローラ」としては被転送情報を入力処理し得る携帯式パーソナルコンピュータを用いればよく、この場合には「転送用接続手段」としては上記携帯式パーソナルコンピュータとの間でデータ転送を行うインタフェースを用いればよい。上記「携帯式パーソナルコンピュータ」としては、いわゆる携帯ノート型のパーソナルコンピュータ（以下「パソコン」という）や、携帯情報端末（ＰＤＡ；Personal Digital Assistants）が挙げられる。また、上記「インタフェース」としては、ＲＳ２３２Ｃ，ＲＳ４２２，ＩＥＥＥ１３９４，ＵＳＢ（Universal Serial Bus）等のシリアルポート、パラレルポート、あるいは、赤外線通信ポート（ＩｒＤＡ）等を接続対象のコントローラの種類に応じて用いればよい。
【００１２】
上記第１の発明によれば、例えば試運転時の試運転実行指令の入力に基づき、端末側コントローラに記憶設定されている端末情報、すなわち、端末放熱器の機種や定格性能等の情報が情報取込処理部によって通信手段を介して熱源機側コントローラに取り込まれ、その端末情報が設置時情報の一部として主記憶部に記憶保持されると共に、試運転制御部により循環配管の配管抵抗判定結果及び循環配管の配管容量判定結果の内の少なくとも１の判定結果が設置時情報として上記主記憶部に記憶保持されることになる。これにより、主記憶部には、設置時情報として、端末情報に加えて、温水熱源機と端末放熱器とを接続する循環配管の配管抵抗及び配管容量の内の少なくとも１の判定結果をも含んで記憶される。そして、作業者が持参した外部コントローラを接続手段に接続した状態にし、外部コントローラから熱源機側コントローラにアクセスすることで、上記主記憶部に記憶保持された設置時情報が上記外部コントローラに転送されてその外部コントローラの内蔵記憶部に書き込まれる。集合住宅のように温水暖房装置が多数設置されている場合であっても、各温水暖房装置毎に設置時情報を上記外部コントローラに対し転送して持ち帰れば、その外部コントローラに接続したプリンタにより、例えば工事報告書等に一覧表形式で容易に出力させて一括処理することが可能になる。これにより、端末放熱器の機種等の端末情報のみならず、上記試運転制御により得られた上記循環配管の配管抵抗及び配管容量の内の少なくとも１の判定結果をも含む設置時情報を盛り込んだ工事報告書作成作業が容易かつ確実に行い得るようになる一方、そのような工事報告書の存在により将来の端末放熱器の増設・変更等の可否を容易に判断し得ることになる。しかも、試運転時に限らず、使用中のどの時点においても外部コントローラを接続するだけで上記設置時情報を容易に取得することが可能になる。
【００１３】
また、第２の発明は、上記温水熱源機に熱源機側コントローラを配設する一方、上記端末放熱器に端末側コントローラを配設し、これら熱源機側コントローラと端末側コントローラとを通信手段を介して双方向通信可能に接続する。そして、上記端末側コントローラとしては上記端末放熱器に関する固有の端末情報が予め記憶設定された端末情報記憶部を有するものとし、上記熱源機側コントローラとしては主記憶部と、上記通信手段を介して上記端末情報記憶部の端末情報を取り込んでその端末情報を設置時情報として上記主記憶部に記憶保持させる情報取込処理部と、上記主記憶部に記憶保持された設置時情報を転送する転送処理部と、試運転実行指令を受けて試運転制御を実行する試運転制御部とを備え、上記試運転制御部としては、温水熱源機と端末放熱器とを接続する循環配管の配管抵抗判定と、その循環配管の配管容量判定との内の少なくとも１の判定を行いその判定結果を設置時情報として上記主記憶部に記憶保持させる構成とする。加えて、上記温水熱源機としては可搬式外部記憶手段が着脱可能に接続されることによりその外部記憶手段に対し上記主記憶部に記憶保持された設置時情報を上記転送処理部により転送し得る転送用接続手段を有するものとする。
【００１４】
ここで、上記「可搬式外部記憶手段」としては、例えば外部ハードディスクの他にスマートメディア，メモリースティックやコンパクトフラッシュ等の小型メモリーカードを用いればよい。このような小型メモリーカードを用いる場合にはいわゆるフラッシュバス等のアダプタを用い温水熱源機側の接続手段としてそのアダプタを接続するための上記のシリアルポート等を用いればよい。さらには、可搬式外部記憶手段そのものを用いるのではなく、同様の内蔵記憶部を有する携帯電話を用いるようにしてもよい。この場合には、接続手段として、上記携帯電話との間でデータ転送可能に接続する接続端子を用いればよい。
【００１５】
この第２の発明によれば、上記第１の発明と同様にして情報取込処理部によって端末側コントローラから端末情報が熱源機側コントローラに取り込まれて主記憶部に設置時情報の一部として記憶保持されると共に、試運転制御部により循環配管の配管抵抗判定結果及び循環配管の配管容量判定結果の内の少なくとも１の判定結果が設置時情報として上記主記憶部に記憶保持されることになる。これにより、主記憶部には、設置時情報として、端末情報に加えて、温水熱源機と端末放熱器とを接続する循環配管の配管抵抗及び配管容量の内の少なくとも１の判定結果をも含んで記憶される。そして、作業者が可搬式外部記憶手段を接続手段に接続した状態にすることで、上記転送処理部による転送処理の実行によって上記設置時情報が上記主記憶部から上記外部記憶手段に転送されて書き込まれる。この外部記憶手段を持ち帰れば、パソコン等に一括して情報入力することが可能になり、そのパソコンに接続したプリンタ等により工事報告書等を容易に出力することが可能になる。これにより、第１の発明と同様に、端末放熱器の機種等の端末情報のみならず、上記試運転制御により得られた上記循環配管の配管抵抗及び配管容量の内の少なくとも１の判定結果をも含む設置時情報を盛り込んだ工事報告書作成作業が容易かつ確実に行い得るようになる一方、そのような工事報告書の存在により将来の端末放熱器の増設・変更等の可否を容易に判断し得ることになる。加えて、第１の発明と同様に上記の如き設置時情報を試運転時のみならずどの時点であっても容易に取得し得る。
【００１９】
また、上記の第１、第２の各発明における「主記憶部」に、温水熱源機の固有の熱源機情報が設置時情報として予め記憶設定されているようにすれば、端末情報に加えて熱源機情報をも設置時情報として得ることが可能になる。なお、熱源機情報としては、温水熱源機の機種や定格性能等を含むものである。
【００２０】
【発明の効果】
以上、説明したように、本発明の温水暖房装置の設置時情報取得システムによれば、端末放熱器の機種等の端末情報に加え、試運転制御により得られた循環配管の配管抵抗及び配管容量の内の少なくとも１の判定結果をも含んだ設置時情報を外部コントローラ又は可搬式外部記憶手段に転送して試運転時のみならずどの時点においても容易かつ効率的に取得することができるようになり、大幅な省力化を得ることができるようになる。特に、設置工事後の試運転時に取得することにより、工事報告書等に一覧表形式で容易に出力させて一括処理することができ、端末放熱器の機種のみならず、循環配管の配管抵抗及び配管容量の内の少なくとも１の判定結果等の設置時情報を盛り込んだ工事報告書作成作業を容易かつ確実に行うことができるようになる。加えて、上記の如き設置時情報が容易に取得することができるため、将来の端末放熱器の増設・変更等の可否を容易に判断することができるようになる。
【００２２】
【発明の実施の形態】
以下、本発明の実施形態を図面に基づいて説明する。
【００２３】
図１は、本発明の実施形態に係る温水暖房装置及びこれに適用した設置時情報取得システムを示す。同図において、２は温水熱源機、３は少なくとも１つ（図例では３つ）の端末放熱器（例えば床暖房器等）、４は上記温水熱源機２に配設された熱源機側コントローラ、５ａ，５ｂはそれぞれ接続手段としての接続端子である。
【００２４】
上記温水熱源機２は従来から周知のものと同様の構造を備えたものである。このため、詳細構造の図示を省略しているが、その一例を簡単に説明すると、ハウジング内に内循環路を備え、この内循環路に沿って膨張タンク、循環ポンプ及び熱交換器が配設され、上記熱交換器に対し燃焼熱を加える燃焼バーナを備えたものである。そして、上記燃焼バーナ及び熱交換器からなる加熱部により所定温度（例えば６０℃もしくは８０℃）まで加熱された温水が上記循環ポンプの作動により循環供給されるようになっている。
【００２５】
上記端末放熱器３としては３つの端末放熱器３ａ，３ｂ，３ｃが上記温水熱源機２に対し並列に接続されている。すなわち、上記３つの端末放熱器３ａ，３ｂ，３ｃが建物の各部屋に個別に配設され、これらの端末放熱器３ａ，３ｂ，３ｃがそれぞれ上記温水熱源機２の内循環路に対し開閉弁３１ａ，３１ｂ，３１ｃ及び循環配管３２ａ，３２ｂ，３２ｃを介して個別に接続されている。なお、各循環配管３２ａ，３２ｂ，３２ｃの戻り側は合流されている。そして、所望の開閉弁３１ａ〜３１ｃを開くことにより対応する循環配管３２ａ〜３２ｃを通して対応する端末放熱器３ａ〜３ｃに温水が循環供給されて外循環路が形成され、その温水によって端末放熱器３ａ〜３ｃでの暖房運転が行われるようになっている。
【００２６】
上記の端末放熱器３ａ，３ｂ，３ｃには端末側コントローラ３３ａ，３３ｂ，３３ｃが個別に配設され、この各端末コントローラ３３ａ，３３ｂ，３３ｃは通信手段の一部を構成する通信線３４ａ，３４ｂ，３４ｃを介して上記熱源機側コントローラ４と双方向通信可能に接続されている。上記各端末コントローラ３３ａ，３３ｂ，３３ｃは、図２に示すように、通信制御部３５と、端末情報記憶部３６と、試運転判定部３７とを備えている。なお、図２には端末コントローラ３３ａのみについて図示し、他の端末コントローラ３３ｂ，３３ｃを省略しているが、図示省略の端末コントローラ３３ｂ，３３ｃも上記端末コントローラ３３ａと同様の構成を備えている。また、図２は本発明の設置時情報取得システムに係る制御部分についてのみ示し、熱源機側コントローラ４や端末側コントローラ３３ａ〜３３ｃが本来備えている作動制御部分については図示を省略している。
【００２７】
上記端末情報記憶部３６には、予めその端末放熱器（例えば３３ａ）の固有の端末情報が記憶設定されている。この端末情報とは、端末放熱器３３ａの種類（例えば床暖房器、ファンヒータもしくは浴室乾燥機等）、機種番号、定格性能等の上記端末放熱器３３ａ自体が有する固有情報のことである。
【００２８】
試運転判定部３７は、熱源機側コントローラ４の後述の試運転制御部４６からの指令に基づき制御が開始され、循環配管３２ａを通して所定温度の温水が供給されて所定の暖房運転が正常に行われるか否かの判定を行い、その判定結果を通信制御部３５を介して熱源機側コントローラ４に送信するようになっている。
【００２９】
上記熱源機側コントローラ４は、通信線３４ａ，３４ｂ，３４ｃを介して上記通信制御部３５と双方向通信制御を行う通信制御部４３と、情報取込処理部４４と、試運転制御部４５と、主記憶部４６と、転送処理部４７と、出力処理部４８とを備えている。
【００３０】
上記通信制御部４３は、端末コントローラ３３ａ〜３３ｃの通信制御部３５及び通信線３４ａ〜３４ｃと共に、熱源機側コントローラ４と各端末側コントローラ３３ａ〜３３ｃとの間で双方向通信を行う通信手段を構成するものである。
【００３１】
上記情報取込処理部４４は、試運転開始スイッチのＯＮ操作に伴い熱源機側コントローラ４に出力される試運転実行指令を受けて各端末コントローラ３３ａ〜３３ｃとの間で通信を行い、各端末コントローラ３３ａ〜３３ｃの端末情報記憶部３６から端末情報を取り込み、この端末情報を設置時情報の一部として主記憶部４６に記憶保持させるようになっている。
【００３２】
また、上記試運転制御部４５は、上記試運転実行指令を受けて各開閉弁３１ａ〜３１ｃ（図１参照）についての個別開閉チェック、各循環配管３２ａ〜３２ｃの配管容量チェック、及び、配管抵抗チェック等の各判定を行う一方、上記各端末コントローラ３３ａ〜３３ｃの試運転判定部３７からの暖房判定結果を取り込むようになっている。加えて、上記の各チェックについての判定結果及び暖房判定結果からなる試運転結果を設置時情報の一部として上記主記憶部４６に記憶保持させるようになっている。
【００３３】
上記主記憶部４６には、上記の試運転実行指令に基づき記憶保持される端末情報及び試運転結果に加え、温水熱源機２自体が有する固有の熱源機情報が設置時情報として予め記憶設定されている。上記熱源機情報とは、上記温水熱源機２の種類や機種に加え定格性能を含むものである。従って、設置時情報としては、端末情報、試運転結果及び熱源機情報により構成されることになる。
【００３４】
上記転送処理部４７は、上記接続端子５ａに外部コントローラとしての携帯式ノートパソコン６が接続された場合には、そのノートパソコン６に対し上記主記憶部４６に取得されて記憶された設置時情報を転送して内蔵の記憶部であるハードディスク６１に書き込むようになっている。また、上記接続端子５ｂに可搬式外部記憶手段としての内蔵記憶部７１を有する携帯電話７が接続された場合には、その内蔵記憶部７１に対し上記設置時情報を転送して書き込むようになっている。なお、ノートパソコン６への転送か、携帯電話７の転送かは、接続端子５ａもしくは５ｂへの接続確認により自動判別させるようにしてもよいし、熱源機側コントローラ４に設けた選択スイッチにより選択させるようにしてもよい。
【００３５】
上記出力処理部４８は、上記主記憶部４６の上記設置時情報をリモコン４１に対し通信線４２を介して出力しその表示部４１ａに表示処理を行うようになっている。この出力及び表示処理は、上記設置時情報を例えば１６進数によるデータ（例えば１０桁程度）に変換し、この変換データを上記表示部４１ａに表示するようになっている。そして、リモコン４１への表示を選択した場合には、作業者は上記変換データを書き写して持ち帰るようになっている。なお、上記の転送処理部４７による転送処理においても、設置時情報の上記変換データへの変換処理を行った後にその変換データの状態で転送処理するようにしてもよい。
【００３６】
そして、温水熱源機２の設置工事、各端末放熱器３の設置工事、各循環配管３２ａ〜３２ｃの配管工事及び通信線３４ａ〜３４ｃ，４２の接続作業等を行うことにより温水暖房装置の設置工事が終了した後に試運転が行われることになる。
【００３７】
例えば試運転開始スイッチを作業者がＯＮ操作することにより、試運転実行指令が熱源機側コントローラ４に出力される。この試運転実行指令に基づき、情報取込処理部４４により各端末コントローラ３３ａ〜３３ｃから端末情報の取り込み及び主記憶部４６への記憶保持が行われる一方、試運転制御部４５により各種判定及び各端末コントローラ３３ａ〜３３ｃから試運転判定結果の取り込み等が行われて試運転結果の主記憶部４６への記憶保持が行われる。
【００３８】
作業者がノートパソコンを持参している場合には、そのノートパソコンを接続端子５ａに接続した後、ノートパソコン側にインストールされたデータ転送プログラムにより熱源機側コントローラ４にアクセスするか、熱源機側コントローラ４の転送処理部４７による転送処理を実行させる。これにより、主記憶部４６内の端末情報、熱源機情報及び試運転結果が設置時情報として上記ノートパソコン６の内蔵記憶部６１に書き込まれて設置時情報の取得が行われる。上記温水暖房装置を集合住宅の各戸に設置した場合には、上記の設置時情報の取得を各戸毎に行った後に、現場事務所もしくは会社Ｘ（図１参照）内に上記ノートパソコン６を持ち帰り、プリンタ８を接続して工事報告書にまとめた形式で印刷する。
【００３９】
図３に集合住宅の場合の工事報告書の例を示すように、各戸の部屋番号（例えば「３０１号室」等）別に温水熱源機２及び各端末放熱器３の「種類」、「機種」、「定格」、「配管容量」、「配管抵抗」及び「試運転結果」を印刷すればよい。
【００４０】
上記の「種類」としては、端末放熱器３であれば「浴室乾燥機」、「ファンコンベクタ（ファンヒータ）」、「床暖房」の如く表示される。なお、「未接続」と表示されているのは、通信線３４ａ等が熱源機側コントローラ４と接続されていない、すなわち、端末放熱器が未設置の状態であることを示す。また、「不明」と表示されているのは端末放熱器自体は温水熱源機２と接続されて存在しているものの、その端末放熱器は通信線による双方向通信可能な仕様のものではなく、その結果、端末情報の取得が行われなかった場合を示している。この場合であっても、後述の配管容量、配管抵抗及び試運転結果についてはその情報取得が試運転制御部４５により可能であるため表示されている。
【００４１】
「機種」としては、例えば「ＧＨ−１００００ＷＤＨ」というように具体的な機種番号が表示される。「定格」としては、既知の数値が「１０００（Ｋｃａｌ／ｈ）」というように表示され、予測数値の場合には「（２０００）」というようにカッコ書きにより表示される。配管容量としては、上記試運転制御部４５による判定制御により例えば開閉弁３１ａ等を開いて温水が端末放熱器３ａ等を経て温水熱源機２側に戻ってくるまでの時間値等から判定し、その数値が「３」というように表示される。「配管抵抗」としては、実測値ではなくて例えば１〜５程度の配管抵抗の高低段階の判定を上記試運転制御部４５で行い、その高低段階を「２」というように表示するようになっている。また、試運転結果としては上記試運転制御部４５での開閉弁３１ａ〜３１ｃの開閉作動が正常であり、端末コントローラ３３ａ等での暖房運転が正常に行われていれば「ＯＫ」と表示されるようになっている。
【００４２】
一方、ノートパソコン６ではなくて携帯電話７を接続端子５ｂに接続した場合には、その内蔵記憶部７１に対し転送処理部４７による転送処理により設置時情報が主記憶部４６から転送されて書き込まれることになる。そして、上記の場合と同様に集合住宅の各戸について設置時情報の取得を行った後に、会社Ｘに持ち帰り、会社Ｘ内のパソコン９に携帯電話７を接続して上記内蔵記憶部７１に書き込まれた設置時情報をパソコン９に移し、上記と同様にプリンタ８により印刷すればよい。
【００４３】
また、ノートパソコン６や携帯電話７等を持参していない場合には、リモコン４１の表示部４１ａに設置時情報を表示させ、これを書き写して会社Ｘに戻り、パソコン９に対しその書き写した変換データを入力してそのパソコン９に内蔵された処理プログラムにより上記と同様の工事報告書（図３参照）を印刷するようにすればよい。この場合、上記変換データそのものを工事報告書と同様配列にして印刷出力し、上記の書き写した変換データ自体の印刷物を上記工事報告書に添付するようにすることにより、データ改ざん等の不正行為のない真正な工事報告書であることの保証あるいは根拠とすることができる。なお、このような変換データ自体の印刷及びその印刷物の添付を、上記のノートパソコン６や携帯電話７による場合にも適用してもよい。
【図面の簡単な説明】
【図１】本発明の実施形態を示す模式図である。
【図２】設置時情報取得システムに係るブロック図である。
【図３】工事報告書の例を示す図である。
【符号の説明】
２                温水熱源機
３，３ａ〜３ｃ    端末放熱器
４                熱源機側コントローラ
５ａ，５ｂ        接続端子（転送用接続手段、インタフェース）
６                ノートパソコン（携帯式パーソナルコンピュータ、外部コントローラ）
７                携帯電話（可搬式外部記憶手段）
３３ａ〜３３ｃ    端末側コントローラ
３４ａ〜３４ｃ    通信線（通信手段）
３５              通信制御部（通信手段）
３６              端末情報記憶部
４１              リモコン（リモートコントローラ）
４１ａ            表示部
４３              通信制御部（通信手段）
４４              情報取込処理部
４５              試運転制御部
４６              主記憶部
４７              転送処理部
４８              出力処理部
７１              内蔵記憶部（可搬式外部記憶手段）
【図１】
0004058220.tif 000002
【図２】
0004058220.tif 000003
【図３】
0004058220.tif 000004